(57)【要約】【課題】内扉の下端縁部に設けた樋部材の大型化を招来することなく、内扉が開動作した場合にも結露水が床等に落下してしまうことを防止することができる自動販売機を提供すること。【解決手段】前面が開口して内部に商品収容庫２を有する本体キャビネット１と、商品収容庫２の前面開口を開閉する態様で揺動可能に設けた内扉２０と、本体キャビネット１の前面開口を開閉する態様で揺動可能に設けた外扉１０と、内扉２０の下端縁部に設け、開放端２３ａから支持端２３ｂに向けて底部が漸次下方に向けて傾斜してなる扉側樋部材２３と、本体キャビネット１に設け受容端３０ａから排出端３０ｂに向けて底部が漸次下方に向けて傾斜してなる本体側樋部材３０とを備え、本体側樋部材３０は、内扉２０の開閉状態に関わらず受容端３０ａが支持端２３ｂの直下域に常時位置し、扉側樋部材２３から受容した結露水を排出端３０ｂより所定の排水口８に排出するものである。【選択図】図４
2010271835.tif 000002
【特許請求の範囲】
【請求項１】
前面が開口した直方状をなし、内部に商品を所望の温度状態に維持して収容する断熱構造の商品収容庫を配設した自動販売機本体と、
断熱構造を有し、かつ前記商品収容庫の前面開口を開閉する態様で揺動可能に配設した内扉と、
前記自動販売機本体の前面開口を開閉する態様で、前記自動販売機本体の一側縁部に揺動可能に配設した外扉と
を備えた自動販売機において、
前記内扉の下端縁部全域に亘って配設し、一端から他端に向けて底部が漸次下方に向けて傾斜してなり、前記内扉の表面に生じた結露水を受容する扉側樋部材と、
前記自動販売機本体の前記商品収容庫が配設された室の底壁部の全域に亘って設けてあり、一端となる受容端から他端となる排出端に向けて底部が漸次下方に向けて傾斜してなる本体側樋部材と
を備え、
前記本体側樋部材は、前記内扉の開閉状態に関わらず前記受容端が前記扉側樋部材の他端の直下域に常時位置し、該扉側樋部材から受容した結露水を前記排出端より所定の排水口に排出することを特徴とする自動販売機。
【請求項２】
前記外扉は、自動販売機本体の内部より払い出された商品を受けて、自身の前面に形成された商品取出口から取り出し可能な状態にする商品受部を有し、
前記本体側樋部材は、前記外扉が前記自動販売機本体の前面開口を閉成する場合に前記商品受部の下方に位置し、該商品受部の底部に形成された貫通孔を通じて滴下する水を受容して、前記排出端より前記排水口に排出することを特徴とする請求項１に記載の自動販売機。
【発明の詳細な説明】
【技術分野】
【０００１】
本発明は、自動販売機に関し、より詳細には、断熱構造を有する商品収容庫の内外の温度差により発生した結露水を蒸発皿に導くための構造に工夫を施した自動販売機に関するものである。
【背景技術】
【０００２】
例えば缶入り飲料やペットボトル入り飲料等の商品を販売する自動販売機においては、前面が開口した自動販売機本体である本体キャビネットの内部に断熱構造を有する商品収容庫が設けられており、この商品収容庫の内部雰囲気を加熱、若しくは冷却することによって該商品収容庫の内部に収容させた商品を所望の温度状態に維持するようにしている。例えば、ホット商品を販売する場合には、商品収容庫の内部をヒータにより５５℃程度に加熱する一方、コールド商品を販売する場合には、商品収容庫の内部を冷却ユニットにより５℃程度に冷却しており、利用者の選択した商品をそれぞれ最適販売温度で提供する用にしている。
【０００３】
一方、上記自動販売機には、外扉及び内扉が設けられている。外扉は、本体キャビネットの前面開口を覆うに十分な大きさを有し、本体キャビネットの前面開口を開閉するためのもので、本体キャビネットの一側縁部に開閉可能に配設されている。内扉は、断熱構造を有し、かつ商品収容庫の前面を覆うに十分な大きさを有するものであって、商品収容庫の前面開口を開閉するためのものである。この内扉は、外扉よりも内方となる位置において本体キャビネットの一側縁部に開閉可能に配設されている。
【０００４】
そのような自動販売機では、断熱構造を有する商品収容庫の内外の温度差により発生した結露水を所定の排水口に導くために、内扉の下端縁部に該内扉の全幅に亘って樋部材が設けられている。そして、内扉が開動作している状態においては樋部材に受容した結露水が床等に落下することを防止すべく、内扉が開動作して商品収容庫の前面が開成されている場合には、結露水を樋部材に一時的に貯留し、内扉が閉動作して商品収容庫の前面を閉成する場合に、樋部材に一時的に貯留した結露水を所定の排水口に排出するようにしたものが知られている（例えば、特許文献１参照）。
【先行技術文献】
【特許文献】
【０００５】
【特許文献１】特開２００７−１９３６２５号公報
【発明の概要】
【発明が解決しようとする課題】
【０００６】
ところが、上記自動販売機では、内扉が開動作して商品収容庫の前面が開成されている場合に結露水を樋部材に一時的に貯留していたために、樋部材には十分大きな容量が要求され、しかも内扉の開閉動作時に貯留した結露水が床等に落下することを防止する必要があることから、樋部材の大型化を招来するものとなっていた。また、自動販売機の大きさの関係上、樋部材の大型化には制限があり、樋部材の大きさが十分に確保できない場合には、内扉が開動作したときに一時的に貯留する結露水が床等に落下してしまう虞れがあった。
【０００７】
本発明は、上記実情に鑑みて、内扉の下端縁部に設けた樋部材の大型化を招来することなく、内扉が開動作した場合にも結露水が床等に落下してしまうことを防止することができる自動販売機を提供することを目的とする。
【課題を解決するための手段】
【０００８】
上記目的を達成するために、本発明の請求項１に係る自動販売機は、前面が開口した直方状をなし、内部に商品を所望の温度状態に維持して収容する断熱構造の商品収容庫を配設した自動販売機本体と、断熱構造を有し、かつ前記商品収容庫の前面開口を開閉する態様で揺動可能に配設した内扉と、前記自動販売機本体の前面開口を開閉する態様で、前記自動販売機本体の一側縁部に揺動可能に配設した外扉とを備えた自動販売機において、前記内扉の下端縁部全域に亘って配設し、一端から他端に向けて底部が漸次下方に向けて傾斜してなり、前記内扉の表面に生じた結露水を受容する扉側樋部材と、前記自動販売機本体の前記商品収容庫が配設された室の底壁部の全域に亘って設けてあり、一端となる受容端から他端となる排出端に向けて底部が漸次下方に向けて傾斜してなる本体側樋部材とを備え、前記本体側樋部材は、前記内扉の開閉状態に関わらず前記受容端が前記扉側樋部材の他端の直下域に常時位置し、該扉側樋部材から受容した結露水を前記排出端より所定の排水口に排出することを特徴とする。
【０００９】
また、本発明の請求項２に係る自動販売機は、上述した請求項１において、前記外扉は、自動販売機本体の内部より払い出された商品を受けて、自身の前面に形成された商品取出口から取り出し可能な状態にする商品受部を有し、前記本体側樋部材は、前記外扉が前記自動販売機本体の前面開口を閉成する場合に前記商品受部の下方に位置し、該商品受部の底部に形成された貫通孔を通じて滴下する水を受容して、前記排出端より前記排水口に排出することを特徴とする。
【発明の効果】
【００１０】
本発明の自動販売機によれば、内扉の下端縁部全域に亘って配設し、一端から他端に向けて底部が漸次下方に向けて傾斜してなり、内扉の表面に生じた結露水を受容する扉側樋部材と、自動販売機本体の商品収容庫が配設された室の底壁部の全域に亘って設けてあり、一端となる受容端から他端となる排出端に向けて底部が漸次下方に向けて傾斜してなる本体側樋部材とを備え、本体側樋部材の受容端が、内扉の開閉状態に関わらず扉側樋部材の他端の直下域に常時位置し、該扉側樋部材から受容した結露水を排出端より所定の排水口に排出するので、内扉を開動作した場合でも、該内扉の表面に生じた結露水を扉側樋部材及び本体側樋部材を通じて排水口に排水することができ、扉側樋部材で一時的に貯留する必要がない。これにより、内扉の下端縁部に設けた樋部材の大型化を招来することなく、内扉が開動作した場合にも結露水が床等に落下してしまうことを防止することができるという効果を奏する。
【図面の簡単な説明】
【００１１】
【図１】図１は、本発明の実施の形態である自動販売機を概念的に示したものであり、内部構造を示す斜視図である。
【図２】図２は、図１に示した外扉の裏面側を示すもので、外扉の右側後方の上方から見た場合を示す斜視図である。
【図３】図３は、図１に示した外扉の裏面側を示すもので、外扉の右側後方の下方から見た場合を示す斜視図である。
【図４】図４は、図１に示した本体キャビネット及び内扉の要部を拡大して示すもので、左側前方の下方から見た場合を示す斜視図である。
【図５】図５は、外扉及び内扉をそれぞれ閉動作させて商品収容庫の前面及び本体キャビネットの前面開口を閉成させた場合における自動販売機の内部構造の要部を示す斜視図であり、一部を断面で示している。
【発明を実施するための形態】
【００１２】
以下に添付図面を参照して、本発明に係る自動販売機の好適な実施の形態について詳細に説明する。
【００１３】
図１は、本発明の実施の形態である自動販売機を概念的に示したものであり、内部構造を示す斜視図である。ここで例示する自動販売機は、例えば缶入り飲料やペットボトル入り飲料等の商品を冷却、若しくは加熱した状態で販売するもので、自動販売機本体である本体キャビネット１を備えている。
【００１４】
本体キャビネット１は、前面が開口した直方状の断熱筐体として形成されたものである。この本体キャビネット１の内部には、複数の独立した商品収容庫２が左右に並設してある。これら商品収容庫２は、缶入り飲料やペットボトル入り飲料等の商品を所望の温度に維持した状態で収容するためのものである。各商品収容庫２には、それぞれの上方部に、商品収納ラック３が配設してある一方、搬出シュータ４によって区画される下方部に、熱交換器（図示せず）やヒータが配設してあり、この熱交換器やヒータの駆動により、商品収納ラック３に収納された飲料缶やペットボトルを所望の冷却温度、あるいは加熱温度に維持することが可能である。尚、本明細書においては、「左側」とは、自動販売機を正面から見た場合の左方を示し、「右側」とは、自動販売機を正面から見た場合の右方を示すものとして、説明する。
【００１５】
一方、上記自動販売機には、外扉１０及び内扉２０が設けてある。外扉１０は、本体キャビネット１の前面開口を覆うに十分な大きさを有し、本体キャビネット１の前面開口を開閉するためのもので、本体キャビネット１の一側縁部に開閉可能に配設してある。外扉１０の前面には、商品取出口扉１１（図５参照）を有し、かつ該商品取出口扉１１により開閉する商品取出口１２の他、図には明示していないが、商品を販売する際に必要となるディスプレイウィンドウ、商品選択ボタン、紙幣挿入口、硬貨投入口、返却レバー、金額表示器及び硬貨返却口が設けてある。
【００１６】
図２及び図３は、それぞれ図１に示した外扉１０の裏面側を示すもので、図２は、外扉１０の右側後方の上方から見た場合を示す斜視図であり、図３は、外扉１０の右側後方の下方から見た場合を示す斜視図である。これら図２及び図３を適宜参照しながら外扉１０の構成について説明する。
【００１７】
上記外扉１０の裏面側には商品受部１３が設けてある。商品受部１３は、商品取出口１２を後方側から臨む態様で配設してあり、本体キャビネット１の商品収納ラック３から払い出された商品を受け止め、商品取出口１２より取り出し可能な状態にするものである。この商品受部１３は、両側部が一対の側板に連設された底板１４を備えて構成してある。
【００１８】
底板１４は、一対の側板の間において配設した平板状のものである。この底板１４の上面には、例えば樹脂製のシート材１５（図５参照）が敷設されており、本体キャビネット１から払い出された商品を載置するようにしてある。また、底板１４及びシート材１５には、複数の貫通孔１６が左右方向に沿って並設してある。これら貫通孔１６は、商品受部１３のシート材１５にある水を下方に向けて滴下させるためのものである。ここで、商品受部１３のシート材１５にある水は、例えば商品取出口１２より進入する雨水や、本体キャビネット１から払い出され、シート材１５に載置する商品の表面に生ずる結露水等である。
【００１９】
図４は、図１に示した本体キャビネット１及び内扉２０の要部を拡大して示すもので、左側前方の下方から見た場合を示す斜視図である。この図４を適宜参照しながら内扉２０の構成、並びに本体キャビネット１の要部の構成について説明する。
【００２０】
内扉２０は、断熱構造を有し、かつ商品収容庫２の前面を覆うに十分な大きさを有するものであって、商品収容庫２の前面開口を開閉するためのものである。この内扉２０は、外扉１０よりも内方となる位置において本体キャビネット１の一側縁部に開閉可能に配設してある。また、内扉２０は、各商品収容庫２に対応した下端部に商品搬出口扉２１を有した商品搬出口２２を備えており、商品収納ラック３から商品が搬出シュータ４に払い出された場合に商品搬出口２２を通じて商品を商品受部１３に搬出することが可能である。
【００２１】
このような内扉２０には、その下端縁部全域に亘って扉側樋部材２３が図示せぬ固定支持部材を介して配設してある。扉側樋部材２３は、例えば一枚の金属平板に加工を施して形成されるものであって、一端、すなわち内扉２０の開放端２３ａから他端、すなわち内扉２０の支持端２３ｂに向けて底部が漸次下方に向けて傾斜して構成してある。ここで開放端２３ａは、内扉２０が商品収容庫２の前面を閉成する場合の右端であって、支持端２３ｂは、内扉２０が商品収容庫２の前面を閉成する場合の左端である。かかる扉側樋部材２３は、自動販売機の内外温度差等により内扉２０の表面に生じた結露水を受容するものである。
【００２２】
上記本体キャビネット１の商品収容庫２が配設された室の底壁部５の前端部には、その全域に亘って本体側樋部材３０が図示せぬ固定部材を介して配設してある。本体側樋部材３０は、例えば一枚の金属平板に加工を施して形成されるもので、左端である受容端３０ａから右端である排出端３０ｂに向けて底部が漸次下方に向けて傾斜して構成してある。この本体側樋部材３０は、受容端３０ａが内扉２０の開閉状態に関わらず扉側樋部材２３の支持端（他端）２３ｂの直下域に常時位置しており、該扉側樋部材２３から滴下した結露水等の水を受容できるようになっている。本体側樋部材３０の排出端３０ｂは、本体キャビネット１の機械室６において前方に向けて突出した態様で設けられた排水部材７の排水口８の直上域に位置している。ここで排水部材７は、排水口８から進入した水を機械室６の内部に配設された図示せぬ蒸発皿に導くためのものである。
【００２３】
これにより、本体側樋部材３０は、扉側樋部材２３より受容した水を排出端３０ｂより排水口８に排水することができるようになっており、排水口８に排出された水は、蒸発皿に導かれ、その後に蒸発することになる。
【００２４】
図５は、外扉１０及び内扉２０をそれぞれ閉動作させて商品収容庫２の前面及び本体キャビネット１の前面開口を閉成させた場合における自動販売機の内部構造の要部を示す斜視図であり、一部を断面で示している。この図５に示すように、本体側樋部材３０は、外扉１０が本体キャビネット１の前面開口を閉成する場合に、商品受部１３の下方に位置しており、該商品受部１３の底部に形成された貫通孔１６を通じて滴下する水を受容することができるようになっている。これにより、本体側樋部材３０は、商品受部１３より受容した水を排出端３０ｂより排水口８に排水することができるようになっており、排水口８に排出された水は、蒸発皿に導かれ、その後に蒸発することになる。
【００２５】
以上のような構成を有する自動販売機においては、内扉２０が閉動作して商品収容庫２の前面開口を閉成した場合には、該商品収容庫２の内部は密閉されて断熱状態になる。そして、該商品収容庫２の内部雰囲気を冷却することによって、商品収納ラック３に収納させた商品を所望の温度状態に維持することができる。このように商品収容庫２の内部雰囲気を冷却する結果、商品収容庫２の内部と外部との温度差が大きくなり、これにより商品収容庫２の表面、特に内扉２０の前面に結露水が発生することになる。発生した結露水は、下端縁部から落ちて扉側樋部材２３に受容される。扉側樋部材２３に受容された結露水は、該扉側樋部材２３の底部の傾斜に沿って支持端（左端）２３ｂに向けて流れ、支持端２３ｂから下方に落下して本体側樋部材３０の受容端３０ａに受容される。本体側樋部材３０に受容された結露水は、該本体側樋部材３０の底部の傾斜に沿って排出端（右端）３０ｂに向けて流れ、排出端３０ｂから下方に落下して排水口８を通じて排水部材７を通り、蒸発皿に導かれる。
【００２６】
また、外扉１０が閉動作して本体キャビネット１の前面開口を閉成している場合には、本体側樋部材３０は、扉側樋部材２３だけでなく、商品受部１３の下方に位置している。そのため、雨水や払い出された商品の表面に付着する結露水等によりシート材１５にある水は、該シート材１５の貫通孔１６及び商品受部１３の貫通孔１６を通じて下方に滴下し、本体側樋部材３０に受容される。該本体側樋部材３０の底部の傾斜に沿って排出端（右端）３０ｂに向けて流れ、排出端３０ｂから下方に落下して排水口８を通じて排水部材７を通り、蒸発皿に導かれる。
【００２７】
一方、外扉１０を開動作し、かつ内扉２０も開動作した場合であっても、本体側樋部材３０の受容端３０ａは、扉側樋部材２３の支持端２３ｂの直下域に常時位置しているので、開動作した内扉２０の表面に生じた結露水は、扉側樋部材２３に受容され、該扉側樋部材２３の底部の傾斜に沿って支持端２３ｂに流れた後、下方に落下して本体側樋部材３０の受容端３０ａに受容される。そして、該本体側樋部材３０の底部の傾斜に沿って排出端（右端）３０ｂに向けて流れ、排出端３０ｂから下方に落下して排水口８を通じて排水部材７を通り、蒸発皿に導かれる。つまり、内扉２０を開動作した場合でも、該内扉２０の表面に生じた結露水を扉側樋部材２３及び本体側樋部材３０を通じて排水口８に排水することができ、扉側樋部材２３で一時的に貯留する必要がない。
【００２８】
以上のような本実施の形態である自動販売機によれば、内扉２０の下端縁部全域に亘って配設し、開放端２３ａから支持端２３ｂに向けて底部が漸次下方に向けて傾斜してなり、内扉２０の表面に生じた結露水を受容する扉側樋部材２３と、本体キャビネット１の商品収容庫２が配設された室の底壁部５の全域に亘って設けてあり、受容端３０ａから排出端３０ｂに向けて底部が漸次下方に向けて傾斜してなる本体側樋部材３０とを備え、本体側樋部材３０の受容端３０ａが内扉２０の開閉状態に関わらず扉側樋部材２３の支持端２３ｂの直下域に常時位置しているので、内扉２０を開動作した場合でも、該内扉２０の表面に生じた結露水を扉側樋部材２３及び本体側樋部材３０を通じて排水口８に排水することができ、扉側樋部材２３で一時的に貯留する必要がない。これにより、内扉２０の下端縁部に設けた樋部材の大型化を招来することなく、内扉２０が開動作した場合にも結露水が床等に落下してしまうことを防止することができる。
【００２９】
また、上記自動販売機によれば、本体側樋部材３０が、外扉１０が本体キャビネット１の前面開口を閉成する場合に商品受部１３の下方に位置し、該商品受部１３の底部に形成された貫通孔１６を通じて滴下する水を受容して、排出端３０ｂより排水口８に排出するので、商品受部１３の上面、すなわちシート材１５の表面に水を貯留させることがなく、利用者が取り出す商品の表面に必要以上に水分が付着している事態を回避することができる。
【産業上の利用可能性】
【００３０】
以上のように、本発明に係る自動販売機は、例えば缶入り飲料やペットボトル入り飲料等の商品を販売するのに有用である。
【符号の説明】
【００３１】
１  本体キャビネット
２  商品収容庫
７  排水部材
８  排水口
１０  外扉
１２  商品取出口
１３  商品受部
１４  底板
１５  シート材
１６  貫通孔
２０  内扉
２１  商品搬出口扉
２２  商品搬出口
２３  扉側樋部材
２３ａ  開放端
２３ｂ  支持端
３０  本体側樋部材
３０ａ  受容端
３０ｂ  排出端
【図１】
2010271835.tif 000003
【図２】
2010271835.tif 000004
【図３】
2010271835.tif 000005
【図４】
2010271835.tif 000006
【図５】
2010271835.tif 000007